(57)【要約】      （修正有）【課題】階段を昇り降りする歩行者にとって安全な構造であり、装着作業も容易であり、かつ、低コストな補助手摺りを提供する。【解決手段】補助手摺り１は、略直角形状に折り曲げられている折曲り部を有する握り部材１１と、握り部材１１の両端を前記手摺り２に固定するための一対の固定金具１２と、握り部材１１の略垂直方向の部分を壁面５に固定するための支持金具１３を有している。握り部材１１として、その一部を切断することによってその長さ寸法を変えることができる材料を用いるとともに、固定金具１２として、回動が可能な首振り部を設けることによって、補助手摺り１をいろいろな傾斜角度を有する手摺り２にも使用できるようにする。握り部材１１には木製のものを用い、固定金具１２と支持金具１３には鋳造によって製造された金属製のものを用いる。【選択図】図１
0003173309.tif 000002
【実用新案登録請求の範囲】
【請求項１】
階段（３）の手摺り（２）に取り付けて使用する補助手摺り（１）において、
前記補助手摺り（１）は、
前記階段（３）を昇り降りする歩行者が握ることができる折曲り部（１４）を有する握り部材（１１）と、
前記握り部材（１１）の両端を、前記手摺り（２）に固定するための首振り機能を有する一対の固定金具（１２）と、
前記握り部材（１１）を、壁面（５）に固定するための支持金具（１３）を有するものであり、
前記握り部材（１１）は、一対の前記固定金具（１２）と前記支持金具（１３）とによって、略垂直方向の部分と略水平方向の部分を有するように固定されている
ことを特徴とする補助手摺り（１）。
【請求項２】
前記折曲り部（１４）は、略中央部分が略直角形状に折り曲げられている
ことを特徴とする請求項１記載の補助手摺り（１）。
【請求項３】
前記固定金具（１２）は、手摺り固定部（２１）と首振り部（２２）とを有するものであり、
前記手摺り固定部（２１）は、略円筒形状をした手摺り挿入部（２８）と挟み込み部（２９）を有するものであり、
前記首振り部（２２）は、略円筒形状をした握り部材挿入部（１５）と挿入固定部（１６）を有するものであり、
前記挿入固定部（１６）は、前記挟み込み部（２９）に回動が可能な状態で嵌合されて連結されており、
前記握り部材（１１）の一端は、前記握り部材挿入部（１５）に挿入された状態で固定されており、
前記手摺り挿入部（２８）は、前記手摺り（２）に貫通された状態で固定されている
ことを特徴とする請求項１又は請求項２記載の補助手摺り（１）。
【請求項４】
前記支持金具（１３）は、略円筒形状をした握り部材貫通部（１６）と、前記壁面（５）方向を向くように形成された壁側取付部（１７）を有するものであり、
前記握り部材（１１）の略垂直方向の部分は、前記握り部材貫通部（１６）に貫通された状態で保持されており、
前記壁側取付部（１７）は、前記握り部材（１１）よりも内側に位置する状態で、前記壁面（５）に固定されている
ことを特徴とする請求項１乃至請求項３記載の補助手摺り（１）。
【請求項５】
前記握り部材（１１）は、木製のものであり、
前記固定金具（１２）と前記支持金具（１３）とは、鋳造によって製造された金属製のものである
ことを特徴とする請求項１乃至請求項４記載の補助手摺り（１）。
【考案の詳細な説明】
【技術分野】
【０００１】
本考案は、住宅などの階段の手摺りに取り付けて使用する補助手摺りに関するものである。
【背景技術】
【０００２】
従来から住宅などの階段３には、安全性を確保するための手段として、図６（ａ）に示されるような手摺り２が設けられている。これらの手摺り２うちで、一般的な手摺り２は丸棒状のもので長尺の形状をしており、複数個のブラケット４を用いて壁面５などに固定されている。
【０００３】
しかし、従来から使用されている手摺り２は、握力の弱い高齢者や身体障害者にとって握りにくいことが問題とされている。例えば、歩行者が階段を降りる際には、従来から使用されている手摺り２は斜め下方を向いているので、手首が伸びてしまい、力が入りにくいという問題点を有していた（図６（ｂ））。これと同様の問題点は、歩行者が階段を昇る際にも起こりうる問題点である。
【０００４】
そして、握力の弱い高齢者や身体障害者にとって、しっかりと手摺り２を握れないことによる階段での転落事故が多発している。上述したように、階段に手摺り２を設けることによって転落事故の防止等には一定の効果が得られてはいるものの、いまだに実効性のある方策が見出されていないのが実情である。
【０００５】
この改善策として、特許文献１のように、あらかじめ壁側に上下２本の手摺りを設けておき、それぞれの手摺りの間を複数本のグリップで連結することによって、高齢者などがグリップ部分を掴みやすくする構造の発明が開示されている。
【０００６】
一方、特許文献２のように、従来から使用されている階段の手摺りに、略直角上方に突出する補助保持具を設ける発明が開示されている。この補助保持具を設けることによって、高齢者などが階段の昇り降りをする際に、これらの部分を掴むことによって体のバランスを維持することができる。
【先行技術文献】
【特許文献】
【０００７】
【特許文献１】特開２００３−１６１０２１号公報
【特許文献２】特開２０１０−５３５８１号公報
【考案の概要】
【考案が解決しようとする課題】
【０００８】
しかしながら、上述した特許文献１の構造では、あらかじめ複数本の手摺り、例えば、２本の手摺りを壁面に設けておく必要があるので、十分な強度が得られるという特徴は得られるもののその設置にはコスト高になるという問題点がある。加えて、手摺りやグリップの新たな装着作業が一人作業では難しく、多人数による作業が必要になるという問題点もある。
【０００９】
一方、特許文献２の構造では、手摺りと補助保持具とは１個の取付金具のみで固定された構造となっている。したがって、何らかの原因によって取付金具の部分が破損したりすると、それを握っている歩行者はバランスを崩して転落事故などの大事故となる可能性がある。
【００１０】
そこで、本考案は、階段を昇り降りする歩行者にとって安全な構造であるとともに、装着作業も容易であり、かつ低コストである補助手摺りの提供を目的としている。
【課題を解決するための手段】
【００１１】
本考案は、上記した従来からの問題点の解決を目的とするものである。
【００１２】
請求項１に記載した考案は、階段（３）の手摺り（２）に取り付けて使用する補助手摺り（１）において、前記補助手摺り（１）は、前記階段（３）を昇り降りする歩行者が握ることができる折曲り部（１４）を有する握り部材（１１）と、前記握り部材（１１）の両端を、前記手摺り（２）に固定するための首振り機能を有する一対の固定金具（１２）と、前記握り部材（１１）を、壁面（５）に固定するための支持金具（１３）を有するものであり、前記握り部材（１１）は、一対の前記固定金具（１２）と前記支持金具（１３）とによって、略垂直方向の部分と略水平方向の部分を有するように固定されていることを特徴としている。
【００１３】
固定金具（１２）には、首振り機能を有するので、手摺り（２）の傾斜角度に応じて自由な角度調整が可能となる。また、本考案の補助手摺り（１）を用いると、握り部材（１１）が手摺り（２）や壁面（５）に計３点で固定されるので歩行者にとって安全な構造となっている。また、その装着作業も容易であり、かつ低コストな補助手摺りを提供することができる。
【００１４】
請求項２に記載した考案は、請求項１記載の補助手摺り（１）において、前記折曲り部（１４）は、略中央部分が略直角形状に折り曲げられていることを特徴としている。
【００１５】
請求項２に記載の考案によると、補助手摺り（１）を手摺り（２）と壁面（５）に固定した状態において、略水平方向の部分と略垂直方向の部分の２つの部分を形成することができるので、階段の昇り降りをする歩行者にとって掴みやすい形状にすることができる。
【００１６】
請求項３に記載の考案は、請求項１又は請求項２に記載した考案において、前記固定金具（１２）は、手摺り固定部（２１）と首振り部（２２）とを有するものであり、前記手摺り固定部（２１）は、略円筒形状をした手摺り挿入部（２８）と挟み込み部（２９）を有するものであり、前記首振り部（２２）は、略円筒形状をした握り部材挿入部（１５）と挿入固定部（１６）を有するものであり、前記挿入固定部（１６）は、前記挟み込み部（２９）に回動が可能な状態で嵌合されて連結されており、前記握り部材（１１）の一端は、前記握り部材挿入部（１５）に挿入された状態で固定されており、前記手摺り挿入部（２８）は、前記手摺り（２）に貫通された状態で固定されていることを特徴としている。
【００１７】
固定金具（１２）には、首振り部（２２）が設けられているので、手摺り（２）の傾斜角度に応じて自由な角度調整が可能となることや、握り部材（１１）の両端は、同一形状をした一対の固定金具（１２）によって、しっかりと手摺り（２）に固定されることになる。
【００１８】
また、同一形状をした固定金具（１２）を用いることができるので、部品点数を低減することができ、その結果、製造コストが下げられることや、それぞれを区別して使用する必要がないのでその取り扱い作業も容易にすることができる。
【００１９】
請求項４に記載の考案は、請求項１乃至請求項３記載に記載した考案において、前記支持金具（１３）は、略円筒形状をした握り部材貫通部（１６）と、前記壁面（５）の方向を向くように形成された壁側取付部（１７）を有するものであり、前記握り部材（１１）の略垂直方向の部分は、前記握り部材貫通部（１６）に貫通された状態で保持されており、前記壁側取付部（１７）は、前記握り部材（１１）よりも内側に位置する状態で、前記壁面（５）に固定されていることを特徴としている。
【００２０】
支持金具（１３）の壁側取付部（１７）が、握り部材（１１）よりも内側に位置する状態で壁面（５）に固定されているので、階段を昇る際に歩行者の手が壁側取付部（１７）に引っかかるのを防止することができる。したがって、本考案の補助手摺り（１）を用いると、歩行者は安全に階段の昇り降りをすることができる。
【００２１】
請求項５に記載の考案は、請求項１乃至請求項４に記載した考案において、前記握り部材（１１）は、木製のものであり、前記固定金具（１２）と前記支持金具（１３）とは、鋳造によって製造された金属性のものであることを特徴としている。
【００２２】
握り部材（１１）の材質としては、作業現場での切断の容易性、低コストで製造できること、及び、握り部材（１１）を握った際の安心感や手のぬくもり等を考慮すると木製のものが好ましいためである。また、金属性の固定金具（１２）や支持金具（１３）は、鋳造によって同一形状のものを大量に、かつ低コストで製造することができる。
【考案の効果】
【００２３】
本考案を用いると、歩行者にとって安全な構造であり、その装着作業も容易であり、かつ低コストである補助手摺り１の提供をすることができる。
【００２４】
加えて、本考案に係わる補助手摺り１は、握り部材１１の一部を切断することによって長さ寸法を変えることができることや、固定金具１２には、回動が可能な首振り部２２が設けられている。したがって、本考案に係わる補助手摺り１は、異なる傾斜角度を有する手摺り２にも使用することができる。
【図面の簡単な説明】
【００２５】
【図１】本考案の補助手摺りの使用状態を示す説明図である。
【図２】本考案の握り部材の形状を示す説明図である。
【図３】本考案の固定金具の形状を示す説明図である。
【図４】本考案の支持金具の形状を示す説明図である。
【図５】本考案の補助手摺りの取付作業工程を示す説明図である。
【図６】従来の階段用手摺りの説明図である。
【考案を実施するための形態】
【００２６】
本考案に係わる補助手摺り１の実施の形態について、図１〜図５を用いて詳細に説明する。本考案に係わる補助手摺り１は、その部材として握り部材１１と、一対の固定金具１２と、支持金具１３と、それらを固定するためのビス２４ａ〜ｃ等を有するものである。
【００２７】
以下の実施例では、住宅等に従来から設置されている手摺り２をそのまま用いるとともに、後付によって本考案の補助手摺り１を取り付ける場合についての詳細な説明をしている（図１、図５）。
（握り部材）
本考案に係わる握り部材１１は、略中央部分に折曲り部１４を有する構造の部材である（図２（ａ））。なお、図２において、一例として、断面が略円形の棒材を用いた場合について記載をしているが、断面が楕円形のものや、六角形や八角形のような多角形のものを用いることもできる。
【００２８】
また、図２において、一例として、握り部材１１の折曲り部１４の角度がほぼ直角形状（９０度）のものについて記載をしているが、この部分の角度が略直角形状、例えば８０度〜１１０度程度のものを用いることもできる。なお、図１（ａ）、（ｂ）に示すように、握り部材１１の折曲り部１４の角度が略直角形状のものを用いることによって、補助手摺り１を手摺り２に設置した状態において、略水平方向の部分と略垂直方向の部分の計２つの部分を有するように固定できるのでより好ましい。
【００２９】
本考案に用いる握り部材１１は、あらかじめ１個の短い形状をした折曲り部１４（略直角形状の部分）を製造しておき、その両端に２個の短い直線部分を接着するなどの手法で一体化することによって製造することができる。
【００３０】
この握り部材１１は、設置する手摺り２の傾斜角度に応じて適宜、切断をして直線部分の寸法を変えて使用できるようにした。すなわち、握り部材１１の一端又は両端を作業現場で自由に切断をするなどの、いわゆる合わせ加工をすることができるようにした。したがって、傾斜の緩やかな階段に設置されている手摺り２の場合や（図２（ｂ））、急傾斜の階段に設置されている手摺り２の場合にも対応することができる（図２（ｃ））。
【００３１】
握り部材１１の材質としては、金属製やプラスチック製のものを用いることもできる。しかしながら、上述した作業現場での切断の容易性や、一般的な手摺り２の材質としては直径が約３５ｍｍの丸棒で木製のものの使用例が多いので、それと統一した方が低コストで製造できることや、握った際の安心感や手のぬくもり等を考慮すると、握り部材１１の形状や材質としては直径が約３５ｍｍの木製のものが好ましい。
（固定金具）
本考案に係わる固定金具１２は、手摺り固定部２１と首振り機能を有する首振り部２２とを有するものである（図３）。手摺り固定部２１は、略円筒形状をした手摺り挿入部２８と挟み込み部２９を有するものである。首振り部２２は、一実施例として、有底で略円筒形状をした握り部材挿入部１５と挿入固定部１６を有するものである。なお、握り部材挿入部１５は、握り部材１１の一端を固定する機能を有すれば十分であり、有底である必要性はない。
【００３２】
挿入固定部１６は、前記挟み込み部２９にボルト・ナットなどを用いて回動が可能な状態で嵌合されて連結されている。握り部材１１の一端は、握り部材挿入部１５に挿入された状態で固定されており、手摺り挿入部２８には、手摺り２が貫通された状態で固定されている。
【００３３】
以下の実施例では、丸棒形状をした手摺り２に、丸棒形状をした握り部材１１を取り付ける場合の実施例について詳細に説明する。
【００３４】
手摺り固定部２１は、手摺り２が貫通されて固定される手摺り挿入部２８と、一対の突出する挟み込み部２９を有するようにした（図３（ａ））。首振り部２２は、握り部材１１が挿入されて固定される握り部材挿入部１５と、突出する挿入固定部１６を有するようにした（図３（ｂ））。手摺り固定部２１や首振り部２２は金属製であり、アルミニウム合金や銅合金などを用いて鋳造によって製造をすることができる。
【００３５】
首振り部２２の挿入固定部１６を、手摺り固定部２１の挟み込み部２９に挿入し嵌合させ、ボルトとナット、例えば、六角穴付ボルト２５とナット２６で回動可能な状態で連結するようにした。ボルトとして、六角レンチで締め付けることが可能な六角穴付ボルト２５を用いることによって、手摺り固定部２１と首振り部２２とをしっかりと嵌合・連結することができる。
【００３６】
あらかじめ手摺り２に、手摺り固定部２１の手摺り挿入部２８を貫通させた状態とし、図示しないビス穴にビス２４ｂを用いて、手摺り固定部２１と手摺り２とを固定する。なお、接着剤、又は接着剤とビスの両方によって手摺り固定部２１と手摺り２とを固定することもできる。
【００３７】
首振り部２２の握り部材挿入部１５に握り部材１１を挿入した状態で、ビス２４ａを用いて首振り部２２と握り部材１１とを固定する。この部分も、接着剤、又は接着剤とビスの両方によって固定することができる。
【００３８】
ここで、固定金具１２には回動が可能な首振り部２２が設けられているので、手摺り２の傾斜角度に応じた角度調整が可能となる。そして、握り部材１１の両端は、２個の固定金具１２によって、手摺り２に２点でしっかりと固定されることになる（図１、図５）。
【００３９】
なお、握り部材１１の両端は、首振り部２２を有する一対の同一形状をした固定金具１２によって手摺り２に装着されて固定される。したがって、同一形状をした固定金具１２を用いることによって、部品点数を低減できるので製造コストを下げられることや、それぞれを区別して作業をする必要がないので、装着時の取り扱い作業を容易にすることができる。
（支持金具）
本考案に係わる支持金具１３は、略円筒形状をした握り部材貫通部１６と、壁面５方向を向くように形成された壁側取付部１７を有するものである（図４（ａ））。握り部材１１は、略垂直方向の部分が握り部材貫通部１６に貫通された状態で保持されており、壁側取付部１７は、握り部材１１よりも内側に位置する状態で壁面５に固定されている（図４（ｂ））。
【００４０】
支持金具１３は、アルミニウム合金や銅合金などを用いて、鋳造によって大量に製造することができる。以下の実施例では、断面が丸棒形状をした握り部材１１を壁面５に固定する場合の実施例について詳細に説明する。
【００４１】
本考案に係わる支持金具１３は、支持金具１３を握り部材１１に取付けた状態において、壁側取付部１７が握り部材１１よりも内側に位置する方向（斜め上方の固定金具１２ｂに近い位置。図４（ｂ）、図１（ａ）参照。）で壁面５に固定されるように鋳造されている。この方向に壁側取付部１７が折れ曲がるように鋳造することによって、後述するように、階段を昇る際に歩行者の手が壁側取付部１７に引っかかるのを防止することができる。
【００４２】
あらかじめ握り部材１１の略垂直方向の部分を、支持金具１３の握り部材貫通部１６に貫通させた状態にしておく。そして、支持金具１３の壁側取付部１７のビス穴２３ｂにビス２４ｃを挿入し、それを壁面５にねじ込むことによって、支持金具１３を壁面５に固定するようにした（図４（ａ））。なお、ビス２４ｃに替えて、接着剤で支持金具１３を壁面５に固定することもできる。
【００４３】
ここで、本実施例では、支持金具１３と握り部材１１とは、握り部材１１の略垂直方向の部分を支持金具１３の握り部材貫通部１６に貫通させることによってのみ固定されているが、図示されていないビスや接着剤等でさらに強固に固定することもできる。
（補助手摺りの取付作業工程）
本考案に係わる補助手摺り１の取付作業工程の一実施例について図５を用いて説明する。この補助手摺り１は、階段３を昇り降りする歩行者が握ることができる握り部材１１と、握り部材１１の両端を手摺り２に固定するための一対の固定金具１２ａ，ｂと、握り部材１１の略垂直方向の部分を壁面５に固定するための支持金具１３を有するものである。
【００４４】
図５では、略直角形状の折曲り部１４を有する握り部材１１を用いた場合の実施例について記載した。まず、握り部材１１の直線部分の一方又は両方を、これを設置する手摺り２の傾斜角度や設置寸法に応じた長さに切断をしておく。後述するように、握り部材１１を設置した状態において、略垂直方向の部分と略水平方向の２つの部分が形成されるような寸法に切断をするのが好ましい。
【００４５】
次に、手摺り２に一対の固定金具１２ａ，ｂの手摺り挿入部２８を貫通した状態にする（図５（ａ））。握り部材１１に、支持金具１３の握り部材貫通部１６を貫通させた状態にする（図５（ａ））。そして、握り部材１１の下端を、図示されていないビスによって、一方の固定金具１２ａの首振り部２２に固定する（図３、図５（ｂ））。
【００４６】
次に、握り部材１１の右端を、図示されていないビスによって他方の固定金具１２ｂの首振り部２２に固定する（図３、図５（ｂ））。すなわち、この状態では握り部材１１の両端部分は、一対の固定金具１２ａ，ｂの手摺り挿入部２８を支点として、手摺り２の周りを回動することや傾斜方向に移動することができる状態となっている。
【００４７】
この状態のもとで、支持金具１３の壁側取付部１７のビス穴２３ｂにビスを挿入し、壁面５にねじ込むことによって、支持金具１３は壁面５に固定される（図５（ｂ））。
【００４８】
最後に、一対の固定金具１２ａ，ｂの手摺り挿入部２８を、図示されていないビスによって手摺り２に固定する。すなわち、本考案の補助手摺り１は、手摺り２に装着する際の作業も容易であり、作業者が一人でも手摺り２に装着できるという特徴がある。
【００４９】
なお、上述した実施例では、ビスを用いてそれぞれの部材を固定する場合について記載しているが、接着剤でそれぞれの部材を固定することや、ビスと接着剤の両方を用いてそれぞれの部材を固定することもできる。
【００５０】
上述したように、握り部材１１は、その両端の２点が固定金具１２によって手摺り２に固定されており、その略垂直方向の部分が支持金具１３によって壁面５に固定された計３点の固定部を有する構造となっている。すなわち、計３点の固定部のうちで、いずれか１点又は２点の固定部が破損をしたような場合でも、残りの１点で握り部材１１を十分に固定することができる。したがって、本考案に係わる補助手摺り１は、歩行者の安全性を確保する面からも極めて好ましいものである。
（本考案の補助手摺りの使用状態）
図１を用いて、本考案の補助手摺り１の使用状態について説明する。例えば、図１に示されるように、階段３の数が１３段〜１４段の一般的な場合として、手摺り２に６箇所程度の補助手摺り１を設けるようにした。
【００５１】
図１（ａ）に示されるように、階段を降りる歩行者は、握り部材１１のうちで略水平方向の部分を握ることができるので、少ない握力でも身体を十分に支えることができる。すなわち、手摺り２が斜め下方向を向いていても、本考案の補助手摺り１の握り部材１１のうちで略水平方向の部分を握ることができる。したがって、階段を降りる際に手首が伸びてしまい、力が入りにくいという従来からの問題点（図６（ｂ））を解決することができる。
【００５２】
一方、図１（ｂ）に示すように階段を昇る際には、歩行者は握り部材１１のうちで略垂直方向の部分を握ることができる。この場合には、手首が起きた状態になるため、握り部材１１に引っかかりやすく、少ない握力でもしっかりと握り部材１１を掴むことができる。すなわち、手摺り２が斜め上方向を向いていても、本考案の補助手摺り１の握り部材１１のうちで略垂直方向の部分をしっかりと握ることができる。
【００５３】
また、支持金具１３の壁側取付部１７は、握り部材１１よりも内側に位置する状態で壁面５に固定されている。そして、下方向から昇ってくる歩行者にとって、身体部分から遠い位置で支持金具１３の壁側取付部１７が壁面５に固定されているので、階段を昇る際に歩行者の手が壁側取付部１７に引っかかるのを防止することができる。したがって、本考案の補助手摺り１を用いると、歩行者は安心して階段を昇ることができる。
【００５４】
ここで、図２に示されるように、握り部材１１の折曲り部１４の角度が略直角形状のものを用いることによって、補助手摺り１を手摺り２に設置した状態において、略水平方向の部分と略垂直方向の部分の計２つの部分を形成することができるので好ましい（図１（ａ）、（ｂ））。なお、本実施例では略水平方向及び略垂直方向と述べているが、正確な水平方向又は垂直方向から、それぞれ最大で±２０度程度傾いた状態で固定されていても特段の問題点は認められない。
【００５５】
上述したように、本考案を用いた補助手摺り１は、歩行者にとって極めて安全な構造となっており、手摺り２への装着作業も容易であり、かつ、部品点数も少ないことから低コストで製造をすることができる。
【００５６】
加えて、本考案を用いた補助手摺り１は、握り部材１１として、その一部を切断することによってその長さ寸法を自由に変えることができる材料を用いるとともに、固定金具１２には、回動が可能な首振り部２２を設けることによって、いろいろな傾斜角度を有する手摺り２にも対応することができる。
【産業上の利用可能性】
【００５７】
本考案は、すでに設置がされている階段の手摺りに、後付けが可能な補助手摺りとして利用することができる。
【符号の説明】
【００５８】
１    補助手摺り
２    手摺り
３    階段
４    ブラケット
５    壁面
１１    握り部材
１２、１２ａ、１２ｂ    固定金具
１３    支持金具
１４    折曲り部
１５    握り部材挿入部
１６    握り部材貫通部
１７    壁側取付部
２１    手摺り固定部
２２    首振り部
２３ａ、２３ｂ    ビス穴
２４ａ、２４ｂ、２４ｃ  ビス
２５    六角穴付ボルト
２６    ナット
２７ａ，ｂ    六角穴付ボルト用孔
２８    手摺り挿入部
２９    挟み込み部
【図１】
0003173309.tif 000003
【図２】
0003173309.tif 000004
【図３】
0003173309.tif 000005
【図４】
0003173309.tif 000006
【図５】
0003173309.tif 000007
【図６】
0003173309.tif 000008